【手続補正書】
【提出日】平成18年9月29日(2006.9.29)
【手続補正１】
【補正対象書類名】特許請求の範囲
【補正対象項目名】全文
【補正方法】変更
【補正の内容】
【特許請求の範囲】
【請求項１】
無線通信システムにおいて用いる移動端末の音響発生源を制御する装置において、前記移動端末は、該移動端末の外部と通じる第１および第２の音響孔を画定したハウジングと、該ハウジング内の、音響を前記孔を通して送る位置に配置された音響を発生するためのスピーカと、前記移動端末の複数の異なる動作モードを識別する制御装置であって、該制御装置は前記スピーカが前記動作モードに基づいて発する音響レベルを表す複数のオーディオ設定にアクセスする動作ができる前記制御装置とを含み、前記装置は、
前記ハウジング内に配置され、第１の位置と第２の位置との間で移動するようにされたスイッチであって、該スイッチは、第１の位置においては前記第１の孔を覆い、前記スピーカが発生した音響が前記第１の孔を通って前記移動端末の外部へ通過するのを実質的に阻止すると同時に、音響が前記第２の孔を通過するのを可能にし、また、前記第２の位置においては前記第２の孔を覆い、前記スピーカが発生した音響が前記第２の孔を通って前記移動端末の外部へ通過するのを実質的に阻止すると同時に、音響が前記第１の孔を通過するのを可能にする、前記スイッチと、
動作モードの変更を前記制御装置に通信するための、前記制御装置と動作上関連するユーザ入力と、
前記制御装置と通信し前記動作モードの変更に応答して前記第１の位置から前記第２の位置までの間を前記スイッチを移動させるための手段と、を含み、
前記移動端末の音響発生源は前記移動端末の前記動作モードに基づいて変化せしめられる、
前記移動端末の音響発生源を制御する装置。
【請求項２】
前記スイッチ移動手段は、電気信号を機械素子の運動に変換する装置であり、前記機械素子は前記装置に動作上連結されている請求項１記載の移動端末の音響発生源を制御する装置。
【請求項３】
前記スイッチ移動手段はリニア・モータまたはラジアル・ステップ・モータである請求項１記載の移動端末の音響発生源を制御する装置。
【請求項４】
無線通信システムにおいて用いる移動端末において、
ユーザの耳が配置されるべき領域内の、前記移動端末の外部と通じる少なくとも１つの音響孔と、前記領域外の、前記移動端末の外部と通じる第２の音響孔と、を画定したフレームと、
前記フレーム内の、音響を前記孔を通して送る位置にある、前記音響を発生するためのスピーカと、
第１の位置と第２の位置との間で移動するように前記フレーム上に配置されたスイッチであって、該スイッチは、前記第１の位置においては前記少なくとも１つの音響孔を覆い、前記スピーカが発生した音響が前記少なくとも１つの孔を通って前記移動端末の外部へ通過するのを実質的に阻止すると同時に、音響が前記第２の孔を通過するのを可能にし、また、前記第２の位置においては前記第２の音響孔を覆い、前記スピーカが発生した音響が前記第２の孔を通って前記移動端末の外部へ通過するのを実質的に阻止すると同時に、音響が前記少なくとも１つの孔を通過するのを可能にする前記スイッチと、
前記移動端末の複数の異なる動作モードを識別する制御装置であって、該制御装置は、前記スピーカが発する音響レベルを表す複数のオーディオ設定にアクセスする動作ができ、前記移動端末のそれぞれの動作モードは、該動作モードに依存して前記スピーカが発する音響レベルを制御するための前記オーディオ設定の１つに関連している前記制御装置と、
前記制御装置と通信し、前記制御装置から信号を受信するオーディオ・ブロックであって、該オーディオ・ブロックは、前記移動端末の動作モードに依存して前記スピーカの前記オーディオ設定を調整する前記オーディオ・ブロックと、
前記動作モードに依存して前記移動端末の音響源を変化させるために、前記制御装置と通信し、前記スイッチを前記第１の位置と前記第２の位置との間で移動させるための手段と、
動作モードの変更を前記制御装置に通信するための、前記制御装置と動作上関連するユーザ入力と、を含み、
前記移動端末の音響発生源は、前記移動端末の前記動作モードに基づく、
前記移動端末。
【請求項５】
前記移動端末は携帯電話機である請求項４記載の移動端末。
【請求項６】
前記フレームは、前面、背面、および前記前面と前記背面との間に広がり、前記前面と前記背面とを連結するそれぞれの側壁を含み、前記第２の音響孔は前記フレームの前記側壁の１つの中に画定されている請求項４記載の移動端末。
【請求項７】
前記制御装置は、前記スピーカが発する音響レベルを表す前記オーディオ設定を記憶するメモリを含む請求項４記載の移動端末。
【請求項８】
前記オーディオ・ブロックは、オーディオ利得制御装置と、受け取ったオーディオ信号を増幅するスピーカ増幅器とを有するオーディオ回路を含む請求項４記載の移動端末。
【請求項９】
前記スイッチ移動手段は、電気信号を機械素子の運動に変換する装置であり、前記機械素子は前記装置に動作上連結されている請求項４記載の移動端末。
【請求項１０】
前記スイッチ移動手段はリニア・モータまたはラジアル・ステップ・モータである請求項４記載の移動端末。
【請求項１１】
前記ユーザ入力は作動ボタンを含む請求項４記載の移動端末。
【請求項１２】
前記ユーザ入力は、第１の位置と第２の位置との間で移動するように前記ハウジングに移動可能に取り付けられたカバーと、該カバーが前記第２の位置にある時を検出するセンサとを含む請求項４記載の移動端末。
【請求項１３】
無線通信システムにおいて用いる移動端末の音響発生源を制御する方法であって、前記移動端末は、前記移動端末の外部と通じる第１および第２の音響孔を画定したハウジングと、該ハウジング内の、音響を前記孔を通して送る位置に配置された、前記音響を発生するスピーカと、前記ハウジング内に、第１の位置と第２の位置との間で移動可能なように配置されたスイッチと、前記移動端末の複数の異なる動作モードを識別する制御装置とを含み、前記方法は、
前記移動端末の前記動作モードの変化を検出するステップと、
前記移動端末の現在の動作モードに基づいて適切な位置まで前記スイッチを移動させるステップであって、前記位置において前記スイッチは、前記孔の１つを覆い、前記スピーカが発生した音響が該孔を通って前記移動端末の外部へ通過するのを実質的に阻止すると同時に、音響が他の孔を通過するのを可能にする、前記移動させるステップと、
を含む前記移動端末の音響発生源を制御する方法。
【請求項１４】
前記スピーカが発する音響レベルを表す複数のオーディオ設定にアクセスするステップであって、前記移動端末のそれぞれの動作モードは、該動作モードに依存して前記スピーカが発する音響レベルを制御するための前記オーディオ設定の１つに関連している、前記アクセスするステップをさらに含む請求項１３記載の移動端末の音響発生源を制御する方法。
【請求項１５】
前記移動端末の前記動作モードを変化させるステップと、
前記移動端末の現在の動作モードを識別するステップと、
前記移動端末の現在の動作モードに基づき、該動作モードにおいて適切な音響レベルを発するように前記スピーカのオーディオ特性を調整するステップと、
をさらに含む請求項１３記載の移動端末の音響発生源を制御する方法。
【請求項１６】
前記移動端末の前記動作モードを変化させるステップは、前記移動端末への着信呼に返答するステップを含む請求項１５記載の移動端末の音響発生源を制御する方法。
【請求項１７】
移動端末の音響発生源を制御するシステムにおいて、前記移動端末は、該移動端末の外部と通じる第１および第２の音響孔を画定したハウジングと、該ハウジング内の、音響を前記孔を通して送る位置に配置された音響を発生するためのスピーカと、前記移動端末の複数の異なる動作モードを識別する制御装置とを含み、前記システムは、
前記ハウジング内に、第１の位置と第２の位置との間で移動するように配置されたスイッチであって、該スイッチは、第１の位置においては前記第１の孔を覆い、前記スピーカが発生した音響が前記第１の孔を通って前記移動端末の外部へ通過するのを実質的に阻止すると同時に、音響が前記第２の孔を通過するのを可能にし、また、前記第２の位置においては前記第２の孔を覆い、前記スピーカが発生した音響が前記第２の孔を通って前記移動端末の外部へ通過するのを実質的に阻止すると同時に、音響が前記第１の孔を通過するのを可能にする、前記スイッチと、
前記移動端末の動作モードの変化を検出する手段と、
前記移動端末の現在の動作モードに基づいて適切な位置まで前記スイッチを移動させる手段と、
を含む前記移動端末の音響発生源を制御するシステム。
【請求項１８】
前記スピーカが発する音響レベルを表す複数のオーディオ設定にアクセスする手段であって、前記移動端末のそれぞれの動作モードは、該動作モードに依存して前記スピーカが発する音響レベルを制御するための前記オーディオ設定の１つに関連している、前記アクセスする手段をさらに含む請求項１７記載の移動端末の音響発生源を制御するシステム。
【請求項１９】
前記移動端末の動作モードに依存して前記スピーカの前記オーディオ設定を調整するために、前記制御装置と通信するオーディオ・ブロックをさらに含む請求項１７記載の移動端末の音響発生源を制御するシステム。
【請求項２０】
動作モードの変更を前記制御装置に通信するための、前記制御装置と動作上関連するユーザ入力手段をさらに含む請求項１７記載の移動端末の音響発生源を制御するシステム。
【請求項２１】
前記動作モードの変更を通信するための前記手段は作動ボタンを含む請求項２０記載の移動端末の音響発生源を制御するシステム。
【請求項２２】
前記動作モードの変更を通信するための前記手段は、第１の位置と第２の位置との間で移動するように前記ハウジングに移動可能に取り付けられたカバーと、該カバーが前記第２の位置にある時を検出するセンサとを含む請求項２０記載の移動端末の音響発生源を制御するシステム。
【請求項２３】
前記スイッチ移動手段は、電気信号を機械素子の運動に変換する装置であり、前記機械素子は前記装置に動作上連結されている請求項１７記載の移動端末の音響発生源を制御するシステム。
【請求項２４】
前記スイッチ移動手段はリニア・モータまたはラジアル・ステップ・モータである請求項１７記載の移動端末の音響発生源を制御するシステム。